(57)【要約】【課題】  従来と異なる新規な二次元コード等を提供する。【解決手段】  イラスト及び文字のうち少なくとも一方の情報を含む図柄情報をドット表示した後にコード情報を表示する。これにより、図柄情報もコード情報と同様な表示形態、つまりドット表示される。このため、図柄情報の表示が終了した後、コード情報の表示に切り替わったときに、二次元コードの観察者が大きな違和感を覚えることを抑制できる。したがって、二次元コードに面白みを与えることが可能となるとともに、二次元コードの魅力及び将来性を多くの人に伝えることが可能となる。【選択図】図２
2015045932.tif 000002
【特許請求の範囲】
【請求項１】
マトリックス状に配置された多数のドット部（１Ａ）によりコード情報が表示される二次元コードであって、
イラスト及び文字のうち少なくとも一方の情報を含む図柄情報がドット表示された後、前記コード情報が表示されることを特徴とする二次元コード。
【請求項２】
前記図柄情報は、文字を表す文字情報、及び当該文字情報に関連するイラストを表すイラスト情報を含んでいることを特徴とする請求項１に記載の二次元コード。
【請求項３】
前記イラスト情報は、前記文字情報が意味する観念に対して関連するイラストを表示する情報であることを特徴とする請求項２に記載の二次元コード。
【請求項４】
前記図柄情報は、前記文字情報がドット表示された後に、前記イラスト情報がドット表示される情報であることを特徴とする請求項２又は３に記載の二次元コード。
【請求項５】
前記イラスト情報は、動画情報を含む情報であることを特徴とする請求項２ないし４のいずれか１項に記載の二次元コード。
【請求項６】
マトリックス状に設定された多数のドット部（１Ａ）によりコード情報を表示する二次元コード表示装置であって、
イラスト及び文字のうち少なくとも一方の情報を含む図柄情報がドット表現にて表示された後、前記コード情報が表示されることを特徴とする二次元コード表示装置。
【請求項７】
マトリックス状に設定された多数のドット部（１Ａ）によりコード情報を表示する二次元コードの表示方法であって、
イラスト及び文字のうち少なくとも一方の情報を含む図柄情報をドット表現にて表示させた後、前記コード情報を表示することを特徴とする二次元コードの表示方法。
【請求項８】
マトリックス状に設定された多数のドット部（１Ａ）によりコード情報を表示する二次元コードの生成方法であって、
イラスト及び文字のうち少なくとも一方の情報を含む図柄情報を取得する取得工程と、
前記取得工程で取得した図柄情報をドット表現に変換する変換工程と、
前記変換工程にてドット表現に変換された図柄情報と前記コード情報とを組み合わせて、当該図柄情報が表示された後に前記コード情報が表示される情報を生成する生成工程と
を備えることを特徴とする二次元コードの生成方法。
【発明の詳細な説明】
【技術分野】
【０００１】
本発明は、ＱＲコード（登録商標）等の二次元コードに関する。
【背景技術】
【０００２】
例えば、特許文献１に記載の発明では、互いに異なる規格の二次元コードを切り替え表示している。
【先行技術文献】
【特許文献】
【０００３】
【特許文献１】国際公開第２０１０／０９７９８９
【発明の概要】
【発明が解決しようとする課題】
【０００４】
本発明は、従来と異なる新規な二次元コード等を提供することを目的とする。
【課題を解決するための手段】
【０００５】
本発明は、上記目的を達成するために、マトリックス状に配置された多数のドット部によりコード情報が表示される二次元コードであって、イラスト及び文字のうち少なくとも一方の情報を含む図柄情報がドット表示された後、コード情報が表示されることを特徴とする。
【０００６】
これにより、本発明では、図柄情報もコード情報と同様な表示形態、つまりドット表示される。このため、図柄情報の表示が終了した後、コード情報の表示に切り替わったときに、二次元コードの観察者が大きな違和感を覚えることを抑制できる。
【０００７】
したがって、二次元コードに面白みを与えることが可能となるとともに、二次元コードの魅力及び将来性を多くの人に伝えることが可能となる。
【図面の簡単な説明】
【０００８】
【図１】二次元コード１の概要を示す図である。
【図２】（ａ）〜（ｄ）は実施形態に係る二次元コード１の表示態様の変化を示す図である。
【図３】二次元コードの表示装置を示す図である。
【図４】二次元コードの表示方法及び表示装置の作動を示す図である。
【図５】二次元コードの生成装置を示す図である。
【図６】二次元コードの生成装置の作動を示す図である。
【発明を実施するための形態】
【０００９】
以下に説明する「発明の実施形態」は実施形態の一例を示すものである。つまり、特許請求の範囲に記載された発明特定事項等は、下記の実施形態に示された具体的手段や構造等に限定されるものではない。少なくとも符号を付して説明した部材又は部位は、「複数」や「２つ以上」等の断りをした場合を除き、少なくとも１つ設けられている。以下、本発明の実施形態を図面と共に説明する。
【００１０】
１．二次元コードの概要
本実施形態に係る二次元コード１では、コード情報の表示態様として、ＱＲコード（登録商標）を採用している。ＱＲコード（登録商標）とは、図１に示すように、マトリックス状に配置された多数のドット部１Ａを有する二次元コードの一種である。
【００１１】
ＱＲコード（登録商標）、つまりコード情報が表示された二次元コード１は、複数の位置決め用のシンボル１Ｂ及びデータ領域１Ｃ等を有する。つまり、コード情報が表示された二次元コード１は、特許文献１や特開平７−２５４０３７号公報等に記載されている二次元コードと同一の構成となる。
【００１２】
データ領域１Ｃにはコード情報が表示される。コード情報とは、二次元コード１の作成者等が第三者に伝えたい情報をいう。作成者等とは、「伝えたい情報」の発信者又は当該発信者から依頼を受けて二次元コード１を作成する者をいう。シンボル１Ｂは、二次元コード１を読み取る際の読取走査方向を演算等するためのマーカである。
【００１３】
少なくともデータ領域１Ｃは、マトリックス状に配置された多数のドット部１Ａを有して構成されている。コード情報は、各ドット部１Ａの濃淡又は明暗によってドット表示される模様によって構成される。
【００１４】
なお、本実施形態に係る二次元コード１は、スマートフォンやコンピュータ等の表示部、又はテレビ受像器等の動画を表示することが可能なディスプレイ等に表示される。このため、本実施形態に係るドット部１Ａの輪郭は正方形等の矩形状であるが、丸等の矩形状以外の輪郭を有するドット部１Ａであってもよい。
【００１５】
ドット表示とは、表示対象が拡大表示されることなく通常状態で表示されているときに、観察者から見て、当該表示対象の輪郭が滑らかな曲線ではなく直線状又は階段状に変化する態様で表示されていることをいう。
【００１６】
２．二次元コードの表示態様
本実施形態に係る二次元コード１では、図柄情報がドット表示された後にコード情報が表示される。図柄情報とは、図２（ａ）〜図２（ｃ）に示すように、イラスト及び文字のうち少なくとも一方の情報を含む情報である。
【００１７】
本実施形態に係る図柄情報は、文字情報及びイラスト情報を含んでいる。文字情報は、図２（ａ）に示すように、主に文字を表す情報である。イラスト情報は、図２（ｂ）及び図２（ｃ）に示すように、主に図形（デザイン化された文字も含む。）を表す情報である。
【００１８】
本実施形態に係るイラスト情報は、表示された文字情報が意味する観念に対して関連するイラストを表示する情報である。例えば、図２（ａ）に示す文字情報は、「オカダ」という人物の名前を表す文字情報である。図２（ｂ）に示すイラスト情報は、「オカダ」という人物の顔を現すイラスト情報である。図２（ｃ）に示すイラスト情報は、「オカダ」という人物の全体像を現すイラスト情報である。
【００１９】
本実施形態に係る図柄情報では、文字情報がドット表示された後に、イラスト情報がドット表示される。つまり、図２（ａ）→図２（ｂ）又は図２（ｃ）の順に各情報が表示される。なお、本実施形態では、図２（ｃ）に示すイラスト情報は、動画情報である。そして、各情報は、図２（ａ）→図２（ｂ）→図２（ｃ）→図２（ｄ）の順に表示される。
【００２０】
コード情報と図柄情報との関連性は不問である。つまり、コード情報と図柄情報との観念上の関連性が乏しい場合、及びコード情報と図柄情報とが観念上関連している場合のいずれであってもよい。
【００２１】
３．二次元コードの表示方法及び表示装置
本実施形態に係る二次元コードの表示方法は、図２（ａ）〜図２（ｄ）に示すように、図柄情報をドット表現にて表示させた後、コード情報を表示する表示方法である。以下、当該表示方法を実現する表示装置の一例を説明する。
【００２２】
図３はコンピュータ１２を用いた表示装置１０の一例である。表示器１１はＬＣＤやプロジェクタ等のディスプレイである。コンピュータ１２は、表示器１１を直接的に制御する映像制御部１２Ａ、及び映像制御部１２Ａを指令制御する制御部１２Ｂ等を有する。
【００２３】
制御部１２Ｂは、ＣＰＵ、ＲＯＭ及びＲＡＭ等を有するとともに、上記表示方法を実現するためのプログラムを実行する。当該プログラムは、上記ＲＯＭ又はＨＤＤ若しくはＳＳＤ等の不揮発性記憶媒体に記憶されている。
【００２４】
因みに、図３では、映像制御部１２Ａ及び制御部１２Ｂが格納されたコンピュータ１２内にＨＤＤ若しくはＳＳＤが内蔵されている例を示しているが、制御部１２Ｂ及びＨＤＤ又はＳＳＤがネットワークを介して接続された他のコンピュータに内蔵されていてもよい。
【００２５】
上記プログラムが制御部１２Ｂに読み込まれると、図４に示すように、制御部１２Ｂは、先ず、表示器１１に図柄情報を表示器１１にドット表示させた後（Ｓ１）、コード情報を表示器１１に表示させる（Ｓ３）。
【００２６】
図柄情報は、例えば、上記不揮発性記憶媒体、又はネットワークを介して接続された上記不揮発性記憶媒体以外の他の不揮発性記憶媒体に予め記憶されている図柄情報、及び後述するカメラやキーボードを介して入力された生データに基づいてドット表示に変換された情報である。
【００２７】
不揮発性記憶媒体に記憶されている図柄情報は、予めドット表示に変換した図柄情報、及びドット表示に変換する前の生データのいずれであってもよい。但し、予め不揮発性記憶媒体に記憶されている図柄情報が生データである場合には、表示器１１に表示する際に当該生データがドット表示に変換される。
【００２８】
コード情報は、例えば、上記不揮発性記憶媒体、又はネットワークを介して接続された上記不揮発性記憶媒体以外の他の不揮発性記憶媒体に予め記憶されているコード情報、及びカメラやキーボードを介して入力された情報に基づいて生成されたコード情報等である。
【００２９】
４．二次元コードの生成方法
図５は、生成方法の一例を実現するための生成装置１４を示す。カメラ１４Ａは画像を取得する撮像体である。キーボード１４Ｂは、作成者等により操作されて文字情報を受け付ける入力部である。コンピュータ１３は、インタフェース１３Ａ及び制御部１３Ｂ等を有する。
【００３０】
インタフェース１３Ａは、カメラ１４Ａ及びキーボード１４Ｂから出力された入力情報を受け付ける。制御部１３Ｂは、ＣＰＵ、ＲＯＭ及びＲＡＭ等を有するとともに、二次元コードの生成方法を実現するためのプログラムを実行する。当該プログラムは、上記ＲＯＭ又はＨＤＤ若しくはＳＳＤ等の不揮発性記憶媒体に記憶されている。
【００３１】
因みに、図５では、インタフェース１３Ａ及び制御部１３Ｂが格納されたコンピュータ１３内にＨＤＤ若しくはＳＳＤが内蔵されている例を示しているが、制御部１３Ｂ及びＨＤＤ又はＳＳＤがネットワークを介して接続された他のコンピュータに内蔵されていてもよい。
【００３２】
上記プログラムが制御部１３Ｂに読み込まれると、図６に示すように、制御部１３Ｂは、先ず、カメラ１４Ａ及びキーボード１４Ｂのうち少なくとも一方から出力された入力情報、つまり図柄情報を取得する（Ｓ１１）。
【００３３】
次に、制御部１３Ｂは、取得工程（Ｓ１１）で取得した図柄情報をドット表現に変換した後（Ｓ１３）、当該変換された図柄情報とコード情報とを組み合わせて二次元コード１用の情報を生成する（Ｓ１５）。
【００３４】
生成工程（Ｓ１５）では、ドット表現にて変換された図柄情報が表示された後にコード情報が表示される情報が生成される。つまり、生成装置１４にて生成された情報は、図柄情報とコード情報とが１つの情報となっている。そして、当該１つの情報が再生されると、ドット表現にて変換された図柄情報が表示された後にコード情報が表示される。
【００３５】
５．本実施形態に係る二次元コードの特徴
本実施形態に係る二次元コードでは、図柄情報もコード情報と同様な表示形態、つまりドット表示される。このため、図柄情報の表示が終了した後、コード情報の表示に切り替わったときに、二次元コードの観察者が大きな違和感を覚えることを抑制できる。
【００３６】
したがって、二次元コードに面白みを与えることが可能となるとともに、二次元コードの魅力及び将来性を多くの人に伝えることが可能となる。
（その他の実施形態）
上述の実施形態に係る図柄情報は、文字情報及びイラスト情報を含んでいたが、本発明はこれに限定されるものではなく、文字情報のみ若しくはイラスト情報のみ、又は文字情報とイラスト情報とが混在した図柄情報であってもよい。
【００３７】
上述の実施形態に係る図柄情報では、文字情報がドット表示された後に、イラスト情報がドット表示されたが、本発明はこれに限定されるものではなく、イラスト情報がドット表示された後に文字情報がドット表示されてもよい。
【００３８】
上述の実施形態に係るイラスト情報は、文字情報が意味する観念に関連するイラストを表示する情報であったが、本発明はこれに限定されるものではない。例えば、文字情報の外観又は称呼に対して関連するイラストを表示する情報、又は文字情報に対して関連性のないイラストを表示する情報等をイラスト情報としてドット表示してもよい。
【００３９】
上述の実施形態に係るイラスト情報は、静止画（図２（ｂ）参照）及び動画（図２（ｃ）参照）を含んでいたが、本発明はこれに限定されるものではなく、静止画及び動画のうちいずれか一方のみであってもよい。
【００４０】
上述の実施形態では、データ情報がＱＲコード（登録商標）にて表示される二次元コード１であったが、本発明はこれに限定されるものではなく、ＱＲコード（登録商標）以外の規格の二次元コードにてデータ情報が表示される二次元コードであってもよい。
【００４１】
上述の実施形態では、図柄情報がドット表示された後にコード情報が表示されたが、本発明はこれに限定されるものではなく、例えば、図柄情報が表示される前に第１のコード情報が表示された後に図柄情報がドット表示され、その後に第２のコード情報が表示されてもよい。なお、第１のコード情報と第２のコード情報とは、同一のコード情報又は異なるコード情報のいずれであってもよい。
【００４２】
上述の実施形態では、図柄情報及びコード情報のみから二次元コード１が構成されていたが、本発明はこれに限定されるものではなく、例えば、図柄情報及びコード情報が表示される際に、音声情報も同時に出力される二次元コード１であってもよい。
【００４３】
上述の実施形態では、図柄情報が表示されているときには、シンボル１Ｂが表示されていなかったが、本発明はこれに限定されるものではなく、例えば、シンボル１Ｂを表示させたまま、データ領域１Ｃのみに図柄情報が表示される構成としてもよい。
【００４４】
上述の実施形態では、コード情報が表示されているときには、図柄情報が表示されない構成であったが、本発明はこれに限定されるものではなく、例えば、コード情報が読み取り可能な状態でコード情報と図柄情報とが同時に表示される構成であってもよい。
【００４５】
上述の実施形態では、文字情報からイラスト情報に表示が切り替わる時等の表示情報切替時においては、表示情報が不連続的に切り替わる構成であったが、本発明はこれに限定されるものではなく、表示情報切替時に、切替前の表示情報と切替後の表示情報とを繋ぐアニメーション情報が表示される構成であってもよい。
【００４６】
上述の実施形態に係る図柄情報は、ドット表示のみで表示されたが、本発明はこれに限定されるものではなく、例えば、表示対象となる図柄の輪郭が滑らかな曲線で表示された状態から次第にドット表示に変化していくアニメーションを経由して図柄情報がドット表示となる構成であってもよい。
【００４７】
上述の実施形態では、図柄情報が所定時間だけ表示された後に、自動的にコード情報の表示に切り替わったが、本発明はこれに限定されるものではない。例えば、二次元コード１を表示させる表示部がタッチパネル機能を備える場合においては、図柄情報が表示されているときに、観察者が表示されている図柄情報若しくは表示部に触れた時にコード情報の表示に切り替わる構成等であってもよい。
【００４８】
上述の実施形態では、コード情報と図柄情報との関連性は不問としたが、本発明はこれに限定されるものではなく、例えば、図柄情報を観察者が興味を抱き易い情報として、二次元コード１に公告機能を発揮させてもよい。
【００４９】
上述の実施形態に示された二次元コード１の生成方法では、変換工程及び生成工程を備えていたが、本発明はこれに限定されるものではない。例えば、二次元コード１を表示する際に、事前に記憶された図柄情報又は直前に撮影若しくは入力された図柄情報を読み込んでドット表示した後、事前に記憶されたコード情報を表示する手法等により、二次元コード１を生成してもよい。
【００５０】
また、本発明は、特許請求の範囲に記載された発明の趣旨に合致するものであればよく、上述の実施形態に限定されるものではない。
【符号の説明】
【００５１】
１… 二次元コード  １Ａ… ドット部  １Ｂ… シンボル
１Ｃ… データ領域  １０… 表示装置  １４… 生成装置
【図１】
2015045932.tif 000003
【図２】
2015045932.tif 000004
【図３】
2015045932.tif 000005
【図４】
2015045932.tif 000006
【図５】
2015045932.tif 000007
【図６】
2015045932.tif 000008